(57)【要約】      （修正有）【課題】布押えを手動操作レバー及び膝操作リフターの何れかによって昇降させるにあたり、昇降機構の構成を簡素化し、部品点数が低減され製造を容易にできるミシンの布押え昇降装置を提供する。【解決手段】ベッド３上でアーム２を支持する脚柱２ａに配置され手動操作レバー３１の上下動操作に応じて垂直方向に移動自在の押え上げ作動板と、一端が第１の連結リンクを介して押え上げ作動板に連結された枢動桿と、枢動桿の他端に連結される第２の連結リンクに連結されて布押え棒に固着された押え棒抱きを介して布押え棒に結合される布押え棒昇降板とを有する押え棒昇降機構３０を備える。ベッドの右下端部に配置され膝操作リフター５１を装着するとともに膝操作リフターの揺動によって回動する膝上げ駆動腕を有する膝上げ機構５０を備え、膝上げ駆動腕は押え上げ作動板に連結される。【選択図】図１
0003180955.tif 000002
【実用新案登録請求の範囲】
【請求項１】
ミシンのアーム及びベッドに設けた縫目形成装置の１つとして構成される針板上で縫製される布を挟んで押圧解除するためアームヘッドに摺動自在の布押え棒に固定される布押えを手動操作レバー及び膝操作リフターの何れかによって昇降させるミシンの布押え昇降装置において、
前記ベッド上で前記アームを支持する脚柱に配置され前記手動操作レバーの上下動操作に応じて垂直方向に移動自在の押え上げ作動板と、一端が第１の連結リンクを介して前記押え上げ作動板に連結された枢動桿と、前記枢動桿の他端に連結される第２の連結リンクに連結されて前記布押え棒に固着された前記布押え棒に結合される布押え棒昇降板とを有する押え棒昇降機構を備え、
前記ベッドの右下端部に配置され前記膝操作リフターを装着するとともに前記膝操作リフターの揺動によって回動する膝上げ駆動腕を有する膝上げ機構を備え、前記膝上げ駆動腕を前記押え上げ作動板に連結することを特徴とするミシンの布押え昇降装置。
【請求項２】
前記枢動桿が前記布押えの布押え上り量を調節するために水平方向に移動自在の枢支点を有する押え上り高さ調節機構を備えることを特徴とする請求項１記載のミシンの布押え昇降装置。
【請求項３】
前記布押え棒に固着された前記押え棒抱きの上方に装着される押え圧力バネと、前記押え圧力バネを上方向から弾撥する押え圧力調節板と、前記圧力調節板の上下位置を調圧自在に調節する押え圧力調節カムと、前記押え圧力調節カムで回転位置決めするための押え圧力調節ツマミと、前記押え圧力調節ツマミの回転を前記押え圧力調節カムへ伝達する押え圧力調節軸とを有する圧力調節装置を備えることを特徴とする請求項１記載のミシンの布押え昇降装置。
【考案の詳細な説明】
【技術分野】
【０００１】
本考案はミシンの布押え昇降装置に係わり、特に手動操作レバー及び膝操作リフターの何れかによって布押えを昇降させるにあたり、昇降機構の構成を簡素化し、部品点数が低減され製造を容易に行なうことができるミシンの布押え昇降装置に関する。
【背景技術】
【０００２】
従来から、ミシンにおいて、手動操作レバー及び膝操作リフターの何れかによって布押えを昇降させる布押え昇降装置が知られている（特許文献１−５）。
【先行技術文献】
【特許文献】
【０００３】
【特許文献１】実開平６−３５８号公報
【特許文献２】特開平１１−２０７０６６号公報
【特許文献３】特開２００３−３２６０３６号公報
【特許文献４】特開２００８−１０４４９６号公報
【特許文献５】特開２０１０−１１９１５号公報
【考案の概要】
【考案が解決しようとする課題】
【０００４】
このようなミシン布押え昇降装置では、布押えを手動操作レバーによって昇降させる場合と、膝操作リフターよって昇降させる場合とにおいて、それぞれの昇降機構が別個に構成され、したがって機構が複雑になり、部品点数が多くなって製造も面倒になる。
【０００５】
本考案は、これらの難点を解決するためになされたもので、布押えを手動操作レバー及び膝操作リフターの何れかによって昇降させるにあたり、昇降機構の構成を簡素化し、部品点数が低減され製造を容易に行なうことができるミシンの布押え昇降装置を提供することを目的とする。
【課題を解決するための手段】
【０００６】
このような目的を達成するため、本考案のミシンの布押え昇降装置は、ミシンのアーム及びベッドに設けた縫目形成装置の１つとして構成される針板上で縫製される布を挟んで押圧解除するためアームヘッドに摺動自在の布押え棒に固定される布押えを手動操作レバー及び膝操作リフターの何れかによって昇降させるミシンの布押え昇降装置において、ベッド上でアームを支持する脚柱に配置され手動操作レバーの上下動操作に応じて垂直方向に移動自在の押え上げ作動板と、一端が第１の連結リンクを介して押え上げ作動板に連結された枢動桿と、枢動桿の他端に連結される第２の連結リンクに連結されて布押え棒に固着された布押え棒に結合される布押え棒昇降板とを有する押え棒昇降機構を備え、
ベッドの右下端部に配置され膝操作リフターを装着するとともに膝操作リフターの揺動によって回動する膝上げ駆動腕を有する膝上げ機構を備え、膝上げ駆動腕は押え上げ作動板に連結される。
【０００７】
本考案のミシンの布押え昇降装置において、枢動桿が布押えの布押え上り量を調節するために水平方向に移動自在の枢支点を有する押え上り高さ調節機構を備えている。
【０００８】
本考案のミシンの布押え昇降装置において、布押え棒に固着された押え棒抱きの上方に装着される押え圧力バネと、押え圧力バネを上方向から弾撥する押え圧力調節板と、圧力調節板の上下位置を調圧自在に調節する押え圧力調節カムと、押え圧力調節カムで回転位置決めするための押え圧力調節ツマミと、押え圧力調節ツマミの回転を押え圧力調節カムへ伝達する押え圧力調節軸とを有する圧力調節装置を備えている。
【考案の効果】
【０００９】
本考案のミシンの布押え昇降装置によれば、布押えを手動操作レバー及び膝操作リフターの何れかによって昇降させるにあたり、昇降機構の構成を簡素化し、部品点数が低減され製造を容易に行なうことができる。
【００１０】
また、本考案のミシンの布押え昇降装置によれば、押え上り高さ調節機構で布押えの布押え上り量を手動で容易に調節することができる。
【００１１】
また、本考案のミシンの布押え昇降装置によれば、圧力調節装置で布押えを弱く又は強く容易に圧力調節することができる。
【図面の簡単な説明】
【００１２】
【図１】本考案によるミシンの布押え昇降装置を適用した５本針８本糸縁かがりオーバーロックミシン（二重環縫いミシン）の斜視図である。
【図２】本考案によるミシンの布押え昇降装置における布押え圧力調節装置及び布押え機構の部分斜視図である。
【図３】本考案によるミシンの布押え昇降装置における布押え機構の部分斜視図で、（ａ）は前方左側から見た一部破断した部分斜視図、（ｂ）は前方右側から見た一部破断した部分斜視図である。
【図４】本考案によるミシンの布押え昇降装置における布押え圧力調節装置及び布押え機構の分解斜視図で、（ａ）は前方右側から見た布押え圧力調節装置及び布押え機構の分解斜視図、（ｂ）は前方右側から見た布押え圧力調節装置の部分斜視図である。ある。
【図５】本考案によるミシンの布押え昇降装置における布押え機構の分解斜視図で、（ａ）は押え棒昇降機構及び押え上り高さ調節機構の分解斜視図、（ｂ）は押え上り高さ調節機構の動作説明図である。
【図６】本考案によるミシンの布押え昇降装置における膝上げ機構を示し、（ａ）は膝上げ機構の斜視図、（ｂ）は膝上げ機構の分解斜視図である。
【考案を実施するための形態】
【００１３】
以下、本考案によるミシンの布押え昇降装置を５本針８本糸縁かがりオーバーロックミシン（二重環縫いミシン）に適用した好ましい実施の形態例について図面を参照して詳述する。
【００１４】
図１に示すように、オーバーロックミシン１は、アーム２及びベッド３を形成するフレームで構成されている。
【００１５】
ミシンモータＭはフレームに装着され、下軸６５はフレームのベッド３に沿って水平方向に延びている。下軸６５は、ミシンモータＭによってモータベルトＭＢにより回転駆動される。また、上軸６４は、アーム２に沿って水平方向に延び、後端に固着される上軸タイミングプーリ６３と下軸６５のハンドプーリ６１側に固着される下軸タイミングプーリ（図示せず）間に張設されるタイミングベルトＴＢを介して同期回転駆動される。
【００１６】
アーム２のアームヘッド２ｃに装着され上軸６４と同期して上下運動する針棒６に固定され針板４を貫通して上下運動する５本の針５、これらの針５を駆動する針駆動機構、針板４上で布を押える布押え７を含む布押え機構１０、針板４の下側で針５の軌跡と交叉するように円弧状の軌跡を描いて往復運動する下ルーパ、及び二重環ルーパ、針板４の側方で下ルーパの軌跡と交叉するとともに針板４の上側で針５の軌跡と交叉するように楕円弧状の軌跡を描いて往復運動する上ルーパ（これらのルーパを併せて６６で示す）、布を１目毎に歩進させる布送り機構で縫目形成装置７０を形成している。
【００１７】
上ルーパ、下ルーパ及び二重環ルーパはそれぞれルーパ駆動機構によって駆動される。縫目形成装置７０の針駆動機構は上軸、布送り機構及びルーパ駆動機構は下軸によって駆動されるが、その具体的構造及び動作は公知又は周知であるので、その詳細は説明を省略する。
【００１８】
本考案のミシンの布押え昇降装置は、ミシン１のアーム２及びベッド３に設けた縫目形成装置の１つとして構成される針板４上で縫製される布を挟んで押圧解除するためアーム前端２ｂに位置してアーム２に固定されるアームヘッド２ｃに垂直方向に摺動自在の布押え棒８に固定される布押え７を手動操作レバー３１及び膝操作リフター５１の何れかによって昇降させるものである。なお、アーム２におけるアーム前端２ｂにはネジ２ｄで位置決めスリーブ２ｅ（図３）を介してアームヘッド２ｃが固定されている。
＜布押え機構＞
図１〜図３（ａ）、（ｂ）、図４〜図５（ａ）、（ｂ）に示すように、ミシンの布押え昇降装置は、針板４上で布を押え解除する布押え機構１０を備え、押え棒昇降機構３０及び膝上げ機構５０で構成されている。
＜押え棒昇降機構＞
ミシンの布押え昇降装置において、布押え機構１０は押え棒昇降機構３０を備えている。
【００１９】
布押え機構１０で布の押圧解除を行なう布押え７は、押え脚と押え金を有し、布押え７は押えネジ７ａで布押え棒８に揺動自在に固定されている。
【００２０】
押え棒昇降機構３０は、ベッド３上でアーム２を支持する脚柱２ａに配置され手動操作レバー３１の上下動操作に応じて垂直方向に移動自在の押え上げ作動板３８と、一端が第１の連結リンク４８を介して押え上げ作動板３８に連結された枢動桿４１と、枢動桿４１の他端に連結される第２の連結リンク４９に連結されて布押え棒８に固着された布押え連結部材９を介して布押え棒８に結合される布厚さ検出部２６と組合わされる布押え棒昇降板２７とを有する。
【００２１】
手動操作レバー３１は、その手動操作レバー基部３１ａが手動操作レバー板取付部３２ａに止ネジ３１ｂで螺着されて手動操作レバー板３２に取付けられている。手動操作レバー板３２は、その手動操作レバー板軸取付穴３２bに固着される手動操作レバー板軸３３が押え上げ機構台３７の押え上げ機構取付板３７aに設けられた手動操作レバー板軸受け３６の枢着穴に嵌入してスラスト受３４のネジ３４ａで位置決めされて押え上げ機構台３７に枢支されている。
【００２２】
なお、押え上げ機構台３７はその押え上げ機構台板３７bに穿設された押え上げ機構台固定穴３７cと取付ネジ３７gにより脚柱２ａのフレームに固定される。
【００２３】
また、手動操作レバー板３２には押え上げピン３５が固着されて手動操作レバー板軸受け３６を枢支点として押え上げ機構台３７の円弧状の押え上げピン穴３７fで揺動自在とされ、押え上げピン３５は、押え上げ作動板３８の押え上げカム３８aに当接して手動操作レバー３１の上下動操作、したがって押え上げピン３５の揺動に応じて押え上げ作動板３８は垂直方向に移動自在とされている。押え上げ作動板３８の長穴状の押え上げ作動板摺動穴３８bから止ネジ３８bが押え上げ作動板摺動受け３８fを介して押え上げ作動板枢支穴３７dに螺着されて押え上げ作動板３８は押え上げ作動板摺動受け３８fの案内で垂直方向に摺動自在とされている。
【００２４】
押え上げ作動板３８は、その押え上げリンク連結穴３８cが押え上げ作動板連結端４８bに受け４８fを介してネジ４８cで螺着されて第１の連結リンク４８に連結されている。
【００２５】
第１の連結リンク４８はその駆動桿連結端４８aが連結ネジ穴４１eに受け４８dを介してネジ４８cで螺着されて押え上り高さ調節機構４０における枢動桿４１の押え上げ機構連結腕４１cに連結されている。
＜押え上り高さ調節機構＞
押え上り高さ調節機構４０における枢動桿４１は、枢支軸取付ネジ４３が枢動桿枢支軸４２を介し枢動桿調節角穴４１aと枢動桿受板４５の枢動桿受板枢着穴４５aを経て枢動桿支点板４６の枢動桿支点板基部４６bの枢動桿取付穴４６aに螺着されている。
枢動桿支点板４６はその支点板取付穴４６bと止ネジ４７でアーム２のフレームに固定されている。このように枢動桿４１は、枢動桿止ネジ４４aが座金４４bを介し枢動桿調節長穴４１bを経て枢動桿受板４５の固定ネジ穴４５bに螺着され、枢動桿止ネジ４４aを緩めることにより水平方向、即ち横方向に摺動自在とされている。
【００２６】
枢動桿４１は、その布押え機構連結腕４１dにおいて連結ネジ穴４１fとリンク連結穴４９ａが受け４８dを介してネジ４９cで螺着されて第２の連結リンク４９に連結されている。
【００２７】
第２の連結リンク４９は、そのリンク連結穴４９ｂが受け４８dを介して止ネジ４９cで布押え棒昇降板２７に螺着され、布押え棒昇降板２７に結合されている。
【００２８】
止ネジ２９が布押え棒昇降板摺動長穴２７ｃからアームヘッド２ｃに設けられた布押え棒昇降板摺動凸部１６に螺着され、布押え棒昇降板２７は止ネジ２９と布押え棒昇降板摺動凸部１６間で案内され布押え棒昇降板摺動長穴２７ｃに沿って垂直方向に摺動自在とされている。
【００２９】
布押え棒昇降板２７とアームヘッド２ｃ間は布押え棒昇降板バネ２８が介在されて布押え棒昇降板２７が常時下方に弾撥されている。
【００３０】
布押え棒昇降板２７は、布押え棒８に固着された布押え連結部材９に下方より係合する布厚さ検出部２６の挟持部２６bへ布押え棒昇降板連結部２７ａが遊嵌し結合されて、布押え棒昇降板２７の昇降に応じて布押え連結部材９、したがって布押え７を昇降させる。
＜圧力調節装置＞
本考案によるミシンの布押え昇降装置において、アームヘッド２ｃには布押え圧力調節装置６０が装着されている（図２、図４）。
【００３１】
布押え圧力調節装置６０は、布押え棒８に固着された押え棒抱き１１の上方に装着される押え圧力バネ１３と、押え圧力バネ１３を上方向から弾撥する押え圧力調節板１４と、圧力調節板１４の上下位置を調圧自在に調節する押え圧力調節カム１８と、押え圧力調節カム１８で回転位置決めされる押え圧力調節ツマミ２０と、押え圧力調節ツマミ２０の回転を押え圧力調節カム１８へ伝達する押え圧力調節軸２１とを有する。
【００３２】
アームヘッド２ｃの枢動穴２４に押え圧力調節軸２１が回動自在に嵌入し一端部をＥリング２１ａと押え圧力調節軸２１の中間部にネジ１９で固着される押え圧力調節カム１８によって押え圧力調節軸２１は軸方向に位置決めされる。押え圧力調節カム１８はラッチ歯１８ａを有し、圧力調節板１４はラッチ歯１８ａに噛合する位置決め突起１４ｄを有する。押え圧力調節ツマミ２０の回転に応じてラッチ歯１８ａと位置決め突起１４ｄが噛合して回転位置決めされ圧力調節板１４の高さ位置が調節される（図４（ｂ））。
【００３３】
布押え棒８はアームヘッド２ｃの押え棒枢着穴２３に垂直方向に摺動自在に取り付けられている。押え圧力バネ１３は、押え圧力調節板１４に固定され布押え棒８に押え圧力調節板穴１４ａで嵌合される押え圧力調節板１４の上部と押え棒抱き１１の間で布押え棒８を取り巻いて介在している。
【００３４】
押え棒抱き１１の回転止め部１１aはアームヘッド２ｃの押え位置決め溝２５に摺動自在に装着されて布押え棒８を垂直方向に摺動自在に回転止めしている。
【００３５】
アームヘッド２ｃをアーム前端２ｂに位置決めするネジ２ｄ及びネジ１７がそれぞれ押え圧力調節板長穴１４ｃ、１４ｂからアームヘッド２ｃに設けられた押え圧力調節板摺動凸部１５に螺着され、押え圧力調節板１４はネジ２ｄ及びネジ１７と押え圧力調節板摺動凸部１５間で案内され押え圧力調節板長穴１４ｃ、１４ｂに沿って垂直方向に摺動自在とされている。
【００３６】
布押え棒昇降板２７は、布押え棒８に摺動自在に装着される布厚さ検出部２６（図２、図４）を担持している。布厚さ検出部２６には布押え棒８の軸線に対して傾斜された布厚さ検出部材２６ａが形成されている。布厚さ検出部材２６ａには、布押え棒８に植立された布押え連結部材９が係合している。布厚さ検出部２６には布押え棒８に遊嵌されて布押え棒８の周りで回動自在の布厚さ応動部材２６cが形成されている。布厚さ応動部材２６cは針糸を布厚さに応じて１目毎に供給する蓄糸器（図示せず）にワイヤーで連結されている。
【００３７】
布厚さに応じて布押え棒８が上下動し、したがって布押え連結部材９が上下動して布厚さ検出部２６の布厚さ検出部材２６ａを布押え棒８の軸線に対して横方向に移動させて布厚さ応動部材２６cを回動させて布厚さ検出に応動するようにしている。布厚さ検出応動によって蓄糸器は対応して制御され針糸は布厚さに応じて１目毎に針５に供給される。
【００３８】
このように構成されたミシンの布押え昇降装置によれば、布押え機構１０の押え棒昇降機構３０によって、いま手動操作レバー３１を手動操作でＨ方向に上昇させれば、手動操作レバー板３２の揺動、押え上げ作動板３８の下降（ＰＬ方向）、第１の連結リンク４８の下降、枢動桿４１の揺動、第２の連結リンク４９、布押え棒昇降板２７の上昇に応じて布押え連結部材９、したがって布押え７を上昇させる。よって手動操作レバー３１の手動操作で布押え７を単独で上昇でき布押え７は布から離反する。なお、手動操作レバー３１の手動操作を解除すれば、押え圧力バネ１３の弾撥によって針板４上で布を布押え７で挟んで押圧し縫製可能とされる。このようにして手動操作レバー３１の手動操作で布押え７を単独で昇降させることができる。
【００３９】
また、ミシンの布押え昇降装置によれば、押え棒昇降機構３０に組み込まれた押え上り高さ調節機構４０において、第１の連結リンク４８と第２の連結リンク４９による枢動桿４１における駆動桿受板枢着穴、即ち枢支点４５ａで押え上げ機構連結腕長Ｌ１、布押え機構連結腕長Ｌ２が可変長となり、枢動桿受板４５に固着される枢動桿４１の位置調節ネジ４４ａを緩めることによって、リンク連結穴４１fの位置変動、即ち布押え７の布押え上り量Ｐｕを押え上げ作動板連結端４１ｅの位置変動、即ち押え上げ作動長Ｐｐと比較して手動で調節することができる（図５（ｂ））。
【００４０】
さらに、この布押え昇降の場合、押え圧力調節ツマミ２０をＰｍ方向、Ｐｎ方向に回転すれば、押え圧力調節軸２１の回転により押え圧力調節カム１８が押え圧力調節板１４の
押え圧力調節カム突起１４ｄに係合して押え圧力調節板１４を上下動し、押え圧力バネ１３の弾性、したがって布押え７を弱く又は強く圧力調節することができる（図４）。
【００４１】
また、布押え機構１０の押え棒昇降機構３０及び膝上げ機構５０における手動操作レバー３１及び膝操作リフター５１の何れかの操作によって布押え棒昇降板２７が布厚さ検出部２６と一体的に昇降して蓄糸器に対して作用することはないが、押え上げ作動板３８の糸緩め突起３８ｅ（図５）が蓄糸器に作用して針糸を解放し緩めて縫い作業の前後における針糸の引出しを可能とする。
＜膝上げ機構＞
また、以上の構成に加えて、図１、図６（ａ）、（ｂ）に示すように、本発明によるミシンの布押え昇降装置は、布押え機構１０に膝上げ機構５０を備えている。
【００４２】
膝上げ機構５０は、ベッド３の膝上げ機構取付部、即ち右下端部３ａに配置され膝操作リフター５１を装着するとともに膝操作リフター５１の揺動によって回動する膝上げ駆動腕５８を有する。
【００４３】
膝操作リフター５１は図に示すような形状を有しており、膝当て５１aを有している。膝操作リフター５１は膝操作リフター軸５２に固定リング５４によって手動で装着可能とされている。
【００４４】
膝操作リフター軸５２は膝操作リフター軸受け５６における軸受け取付部５６aの膝操作リフター軸枢支穴５６bに嵌合されＣ型リング５５、５７で軸方向の移動を阻止しながら回動自在に枢着されている。膝操作リフター軸受け５６は止ネジ５６dでベッド３の膝上げ機構取付部、即ち右下端部３aに固定されている。膝操作リフター軸枢支穴５６bに嵌合された膝操作リフター軸５２の接合穴５２ｃに揺動制限ピン５３が固着され揺動制限ピン先端が係合して回転方向の揺動を制限する膝上げストッパ穴５６cが膝操作リフター軸受け５６に設けられている。膝上げ駆動腕５８が膝操作リフター軸５２の一端５２ｂに設けられている。膝上げ駆動腕５８の膝上げ駆動腕取付部５８bは、その膝上げ駆動腕位置決突起５８dが対応する膝操作リフター軸５２ｂの凹部（図示せず）に嵌合されて、膝上げ駆動腕取付穴５８cを介して止ネジ５９で膝操作リフター軸５２に結合されている。
【００４５】
膝上げ駆動腕５８は、その膝上げ駆動端５８aにより上記の押え上げ作動板３８の膝上げ装置連結穴３８dに嵌合し連結されている。
【００４６】
このように構成されたミシンの布押え昇降装置によれば、布押え機構１０の膝上げ機構５０によって、いまミシンオペレータの膝操作によって膝操作リフター５１の膝当て５１aを右外方方向Ｎに移動させれば、膝上げ駆動腕５８が反時計方向ＮＬに揺動し、膝上げ駆動端５８aにより押え上げ作動板３８を降下させ、上記の手動操作レバー３１を手動操作でＨ方向に降下させたように押え上げ作動板３８及び第１の連結リンク４８の降下、枢動桿４１の揺動、第２の連結リンク４９、布押え棒昇降板２７の上昇に応じて布押え連結部材９、したがって布押え７を上昇させる。なお、膝操作リフター５１の膝当て５１aへの膝操作を解除すれば、押え圧力バネ１３の弾撥によって針板４上で布を布押え７で挟んで押圧し縫製可能とされる。このようにして膝上げ駆動腕５８の揺動により押え上げ作動板３８を上下動させて膝操作リフターの膝操作で布押えを単独で昇降できる。
【００４７】
この場合、布押え機構１０の膝上げ機構５０は押え棒昇降機構３０における押え上げ作動板３８、第１の連結リンク４８、枢動桿４１、第２の連結リンク４９、布押え棒昇降板２７を共用しているので、昇降機構の構成を簡素化し、部品点数が低減され製造を容易に行なうことができる。
【００４８】
以上の実施例において本考案によるミシンの布押え昇降装置はオーバーロックミシン（二重環縫いミシン）に適用した形態例について説明したが、この布押え昇降装置は本縫いミシンや他のミシンにも等しく適用され得るものである。
【産業上の利用可能性】
【００４９】
本考案におけるミシンの布押え昇降装置は、布押えを必要とする総てのミシンに好適に適用可能で産業上有用である。
【符号の説明】
【００５０】
１・・・ミシン
２・・・アーム
２a・・・脚柱
２c・・・アームヘッド
３・・・ベッド
３a・・・右下端部
４・・・針板
５・・・針
６・・・針棒
７・・・布押え
８・・・布押え棒
１０・・・布押え機構
１１・・・押え棒抱き
１３・・・押え圧力バネ
１４・・・押え圧力調節板
１８・・・押え圧力調節カム
２０・・・押え圧力調節ツマミ
２１・・・押え圧力調節軸
２７・・・布押え棒昇降板
３０・・・押え棒昇降機構
３１・・・手動操作レバー
３８・・・押え上げ作動板
４０・・・押え上り高さ調節機構
４８・・・第１の右押え上げリンク
４１・・・枢動桿
４５a・・・枢動桿受板枢着穴（枢支点）
４９・・・第２の連結リンク
５０・・・膝上げ機構
５１・・・膝操作リフター
５８・・・膝上げ駆動腕
６０・・・布押え圧力調節装置
Ｐｕ・・・布押え上がり量
【図１】
0003180955.tif 000003
【図２】
0003180955.tif 000004
【図３】
0003180955.tif 000005
【図４】
0003180955.tif 000006
【図５】
0003180955.tif 000007
【図６】
0003180955.tif 000008